(57)【要約】【課題】  ある画像を拡大表示した状態から表示画像を容易に切替えることができる画像表示装置を得る。【解決手段】  本発明による画像表示装置５０は、表示画面に全体が表示された第１の画像を拡大して第１の画像の一部を表示画面に再表示する画像拡大部５１と、拡大された第１の画像と第２の画像を連続した一つの画像として、上記一部が表示画面に表示された状態からユーザ操作に従って表示画面の表示内容を移動させる画像移動部５２とを含む。【選択図】      図１
2010101977.tif 000002
【特許請求の範囲】
【請求項１】
表示画面に全体が表示された第１の画像を拡大して前記第１の画像の一部を前記表示画面に再表示する画像拡大手段と、
前記拡大された第１の画像と第２の画像を連続した一つの画像として、前記一部が前記表示画面に表示された状態からユーザ操作に従って前記表示画面の表示内容を移動させる画像移動手段とを含むことを特徴とする画像表示装置。
【請求項２】
前記ユーザ操作の終了に応答して、その時点における前記表示画面に占める前記第１の画像と前記第２の画像の面積比を基に前記第１及び第２の画像の一方のみを前記表示画面に表示する画像切替手段を更に含むことを特徴とする請求項１記載の画像表示装置。
【請求項３】
ポインティングデバイスを更に含み、前記ユーザ操作は前記ポインティングデバイスを用いたドラッグ操作であることを特徴とする請求項１または２記載の画像表示装置。
【請求項４】
前記ポインティングデバイスは、前記表示画面上に設けられ前記表示画面への接触を検知するタッチパネルであることを特徴とする請求項３記載の画像表示装置。
【請求項５】
複数のキーを備えたキー入力手段を更に含み、前記ユーザ操作は前記複数のキーのうち所定のキーの押下であることを特徴とする請求項１または２記載の画像表示装置。
【請求項６】
画像表示装置の動作制御方法であって、
表示画面に全体が表示された第１の画像を拡大して前記第１の画像の一部を前記表示画面に再表示する画像拡大ステップと、
前記拡大された第１の画像と第２の画像を連続した一つの画像として、前記一部が前記表示画面に表示された状態からユーザ操作に従って前記表示画面の表示内容を移動させる画像移動ステップとを含むことを特徴とする動作制御方法。
【請求項７】
前記ユーザ操作の終了に応答して、その時点における前記表示画面に占める前記第１の画像と前記第２の画像の面積比を基に前記第１及び第２の画像の一方のみを前記表示画面に表示する画像切替ステップを更に含むことを特徴とする請求項６記載の動作制御方法。
【請求項８】
前記ユーザ操作はポインティングデバイスを用いたドラッグ操作であることを特徴とする請求項６または７記載の動作制御方法。
【請求項９】
前記ポインティングデバイスは、前記表示画面上に設けられ前記表示画面への接触を検知するタッチパネルであることを特徴とする請求項８記載の動作制御方法。
【請求項１０】
前記ユーザ操作は、複数のキーを備えたキー入力手段の前記複数のキーのうち所定のキーの押下であることを特徴とする請求項６または７記載の動作制御方法。
【請求項１１】
画像表示装置の動作制御方法をコンピュータに実行せしめるプログラムであって、
表示画面に全体が表示された第１の画像を拡大して前記第１の画像の一部を前記表示画面に再表示する画像拡大処理と、
前記拡大された第１の画像と第２の画像を連続した一つの画像として、前記一部が前記表示画面に表示された状態からユーザ操作に従って前記表示画面の表示内容を移動させる画像移動処理とを含むことを特徴とするプログラム。
【発明の詳細な説明】
【技術分野】
【０００１】
本発明は画像表示装置、動作制御方法及びプログラムに関し、特に表示画面に表示されている画像を拡大処理して該画面に再表示する画像表示装置に関する。
【背景技術】
【０００２】
パーソナルコンピュータ、携帯電話機やデジタルカメラなどの表示画面に画像を表示する場合、ある画像が画面に表示された状態で、ユーザによる方向キーの押下、タッチパネルやマウスを用いたドラッグ操作などにより、画面の表示を次の画像に切替えることができる。図５はこの画像切替動作を説明するための図である。図５において、画面３にはタッチパネルが設けられているものとする。画面３に画像１全体が表示されている状態において、ユーザが指をタッチパネルに触れたままスライドさせるドラッグ操作を行うことにより次の画像である画像２が画面３に表示される。
【０００３】
また、例えば特許文献１に記載されているように、ユーザが所定の操作を行うことにより画面に表示されている画像の拡大表示を行い、拡大表示が行われている状態でマウスを用いたドラッグ操作が行われると、このドラッグ操作に合わせて画面に表示させる該画像の表示領域を移動させることが記載されている。
【０００４】
【特許文献１】特開２００３−３３７９５２号公報
【発明の開示】
【発明が解決しようとする課題】
【０００５】
以上説明したように画面に画像を拡大表示した場合、図５に示したように画面３に画像１全体が表示されている状態では画像１から画像２への画像切替に割り当てられていた方向キーの押下操作やドラッグ操作が、画像切替ではなく拡大画像内部の移動に割り当てられる。図６はこの画像移動動作を説明するための図であり、図５と同等部分は同一符号にて示している。
【０００６】
図６に示すように、画面３に画像１が拡大表示されている状態（画面３に画像１全体が表示できない状態）では、ドラッグ操作が拡大画像内部の移動に割り当てられるので、ドラッグ操作をしても画像１の端までしか表示することができず、画面３の表示を次の画像である画像２に切替えることができない。画像を切替えるためには、拡大表示を解除する操作を行った後、図５に示した画像切替操作を行う必要があり、ある画像を拡大表示した状態から単一の操作で別の画像を表示させることはできない。
【０００７】
本発明の目的は、上述した課題を解決し、ある画像を拡大表示した状態から表示画像を容易に切替えることができる画像表示装置、動作制御方法及びプログラムを提供することにある。
【課題を解決するための手段】
【０００８】
本発明による画像表示装置は、表示画面に全体が表示された第１の画像を拡大して前記第１の画像の一部を前記表示画面に再表示する画像拡大手段と、前記拡大された第１の画像と第２の画像を連続した一つの画像として、前記一部が前記表示画面に表示された状態からユーザ操作に従って前記表示画面の表示内容を移動させる画像移動手段とを含むことを特徴とする。
【０００９】
本発明による動作制御方法は、画像表示装置の動作制御方法であって、表示画面に全体が表示された第１の画像を拡大して前記第１の画像の一部を前記表示画面に再表示する画像拡大ステップと、前記拡大された第１の画像と第２の画像を連続した一つの画像として、前記一部が前記表示画面に表示された状態からユーザ操作に従って前記表示画面の表示内容を移動させる画像移動ステップとを含むことを特徴とする。
【００１０】
本発明によるプログラムは、画像表示装置の動作制御方法をコンピュータに実行せしめるプログラムであって、表示画面に全体が表示された第１の画像を拡大して前記第１の画像の一部を前記表示画面に再表示する画像拡大処理と、前記拡大された第１の画像と第２の画像を連続した一つの画像として、前記一部が前記表示画面に表示された状態からユーザ操作に従って前記表示画面の表示内容を移動させる画像移動処理とを含むことを特徴とする。
【発明の効果】
【００１１】
本発明によれば、ある画像を拡大表示した状態から表示画像を容易に切替えることができるという効果が得られる。
【発明を実施するための最良の形態】
【００１２】
本発明の実施の形態について説明する前に、本発明の理解を助けるために、本発明の原理について図面を参照して説明する。図１は本発明の原理を説明するための画像表示装置の概略ブロック図である。
【００１３】
図１に示した画像表示装置５０は、表示画面に全体が表示された第１の画像を拡大して第１の画像の一部を表示画面に再表示する画像拡大部５１と、拡大された第１の画像と第２の画像を連続した一つの画像として、上記一部が表示画面に表示された状態からユーザ操作に従って表示画面の表示内容を移動させる画像移動部５２とを含む。
【００１４】
このように、ユーザ操作に従って表示画面に表示される画像の領域を移動させる画像移動部５２が第１の画像と第２の画像を単一の画像として扱うので、第１の画像が拡大表示された状態から表示画像を第２の画像へと容易に切替えることができる。
【００１５】
以下、本発明の実施の形態について図面を参照して説明する。
【００１６】
図２は本発明の実施の形態による画像表示装置の構成を示す図である。図２において、本発明の実施の形態による画像表示装置は、制御部１１と、表示部１２と、画像メモリ１３と、ユーザデータ記憶部１４とを含む。表示部１２は、その表示画面上に設けられ表示画面への接触を検知するタッチパネルを備えている。ユーザデータ記憶部１４は、後述する画像１及び２を含む複数の画像データやその他のユーザデータを記憶している。画像メモリ１３は、表示部１２に表示される画像データを一時的に記憶する。
【００１７】
制御部１１は、画像表示装置の上述した各部を制御するものであり、画像拡大部１１１と、画像移動部１１２と、画像切替部１１３とを含む。画像拡大部１１１は、表示部１２の表示画面にある画像の全体が表示されている状態でユーザにより画像拡大を指示する所定の操作がなされると、該画像を所定の倍率で拡大して再表示させる。例えば上記所定の操作がタッチパネルを触れた後に離すクリック操作である場合、画像拡大部１１１は、クリックがなされた画像位置が表示画面の中心に表示されるように画像を拡大して表示させるようにしてもよい。
【００１８】
画像移動部１１２は、画像が拡大表示されている状態でユーザが指をタッチパネルに触れたままスライドさせるドラッグ操作を行うと、このドラッグ操作に合わせて画面に表示される画像の領域を移動させる。このとき、画像移動部１１２は、拡大表示されている画像（第１の画像）と、この第１の画像とは別の第２の画像（例えば、画像切替操作がなされた場合に次に表示すべき画像として予め定められている画像）とを連続した１枚の画像として扱い、ドラッグ操作に合わせてこの連続した１枚の画像を移動させながら画面に表示させる。
【００１９】
画像切替部１１３は、ユーザが指をタッチパネルから離すことにより上記のドラッグ操作が終了されると、表示画面に占める第１の画像と第２の画像の面積比を基に第１及び第２の画像の一方のみを表示させて表示を切替える。
【００２０】
図３は本発明の実施の形態による画像表示装置の動作を示すフローチャートであり、図４は本発明の実施の形態による画像表示装置の動作を説明するための図である。以下、図２〜図４を参照して本発明の実施の形態による画像表示装置の動作を説明する。
【００２１】
まず、表示部１２の表示画面３に画像１の全体が表示されている状態でユーザにより画像拡大を指示する所定の操作がなされると、制御部１１は、画像１に加え画像２も画像メモリ１３に展開し（ステップＳ１）、画像拡大部１１１は、画像メモリ１３から画像１を読み出して拡大処理を行い表示画面３に表示させる（ステップＳ２）。
【００２２】
そして、タッチパネルを用いたドラッグ操作が行われると（ステップＳ３）、画像移動部１１２は、画像メモリ１３内の画像１及び２を１枚の画像として扱い、ドラッグ操作に合わせて表示画面３の表示内容をこの１枚の画像内で移動させる（ステップＳ４）。したがって、図４に示すように、ドラッグ操作を行って画像を移動させることにより画像２を表示することができる。なお、画像移動中も、画像１が画面３に表示される場合は拡大表示されるが、画像２については画像１と同様に拡大表示するようにしてもよいし、拡大することなく標準サイズで表示するようにしてもよい。
【００２３】
ドラッグ操作が終了すると（ステップＳ５）、画像切替部１１３は、その時点における表示画面３に占める画像１と画像２の面積比から、より大きな面積を占める画像に表示を切替える（ステップＳ６）。したがって、画像１の一部と画像２の一部とが同時に表示画面３に表示されている状態（画像１から画像２へ表示を切替える途中の状態）でドラッグ操作が中断された場合でも、画像１及び２の一方へ表示が切替えられる。
【００２４】
なお、図３に示したフローチャートに従った画像表示装置の処理動作は、該装置において、予めＲＯＭ等の記憶媒体に格納されたプログラムを、ＣＰＵ（制御部）となるコンピュータに読み取らせて実行せしめることにより、実現できることは勿論である。
【００２５】
以上説明したように、本発明の実施の形態では、ドラッグ操作に従って表示画面３に表示される画像の領域を移動させる画像移動部１１２が画像１と画像２を単一の画像として扱うので、画像１が拡大表示された状態から拡大表示を解除する操作を行うことなく表示画像を画像２へと容易に切替えることができ、ユーザの利便性が向上する。
【００２６】
なお、本発明の実施の形態では、表示部１２はタッチパネルを備え、このタッチパネルを用いてユーザ操作が行われていたが、本実施形態はタッチパネルに限定されるものではない。タッチパネルの代わりに、マウスやニューロポインター（登録商標）などの他のアナログポインティングデバイスを用いたドラッグ操作に従って画像移動部１１２は画像を移動させるようにしてもよい。また、これらポインティングデバイスの代わりに複数のキーを備えたキー入力部（キー操作部）を設け、所定のキー（例えば方向キー）の押下に従って画像移動部１１２は画像を移動させるようにしてもよい。
【００２７】
また、本発明の実施の形態は、携帯電話機、デジタルカメラ、パーソナルコンピュータなどの電子機器全般の画像表示装置に適用可能である。
【図面の簡単な説明】
【００２８】
【図１】本発明の原理を説明するための画像表示装置の概略ブロック図である。
【図２】本発明の実施の形態による画像表示装置の構成を示す図である。
【図３】図２の画像表示装置の動作を示すフローチャートである。
【図４】図２の画像表示装置の動作を説明するための図である。
【図５】本発明に関連する画像切替動作を説明するための図である。
【図６】本発明に関連する画像移動動作を説明するための図である。
【符号の説明】
【００２９】
１１    制御部
１２    表示部
１３    画像メモリ
１４    ユーザデータ記憶部
５０    画像表示装置
５１，１１１    画像拡大部
５２，１１２    画像移動部
１１３    画像切替部
【図１】
2010101977.tif 000003
【図２】
2010101977.tif 000004
【図３】
2010101977.tif 000005
【図４】
2010101977.tif 000006
【図５】
2010101977.tif 000007
【図６】
2010101977.tif 000008